(57)【要約】  ガラス被膜装置と用いる被膜キャリアは、複数のスピンドルコネクタ受付け特徴物を有する被膜基部を含む。各スピンドルコネクタ受付け特徴物は、ガラス容器本体を支持するように構成されたガラス本体支持アセンブリのスピンドルコネクタを移動自在に受け付ける大きさを有する空洞部を含む。
2019516654.tif 000002
【特許請求の範囲】
【請求項１】
ガラス容器本体を直立に支持するガラス本体支持アセンブリにおいて、
外側に向かい先細の面を有するコレット本体と、
前記ガラス容器本体の細くなった部分へ留めるように構成されたクランプ指状部と、
前記コレット本体の前記外側に向かい先細の面と係合する内側に向かい先細の面を有して、半径方向の力を、該コレット本体を通して、前記クランプ指状部に対して加えるコレット閉鎖部と、
を含み、
前記コレット本体は、その中を通って延伸するガスパージ通路を有し、加圧気体を、前記ガラス容器本体の内部に送るものであるガラス本体支持アセンブリ。
【請求項２】
前記コレット閉鎖部は、延伸位置に向かって、ばねで付勢されて、前記半径方向の力を、該コレット本体を通して、前記クランプ指状部に対して加えるものである、請求項１に記載のガラス本体支持アセンブリ。
【請求項３】
前記ガスパージ通路に位置するプランジャを、
更に含む、請求項１または２に記載のガラス本体支持アセンブリ。
【請求項４】
前記プランジャは、前記ガラス容器本体に向かって、ばねで付勢されたものである、請求項３に記載のガラス本体支持アセンブリ。
【請求項５】
前記プランジャは、その中を通って延伸するガスパージ通路を含み、該プランジャの前記ガスパージ通路は、前記コレット本体の前記ガスパージ通路と連通したものである、請求項４に記載のガラス本体支持アセンブリ。
【請求項６】
前記クランプ指状部は、前記コレット本体の一部として形成されたものである、請求項１から５のいずれか１項に記載のガラス本体支持アセンブリ。
【請求項７】
前記クランプ指状部は、別に形成されて、前記コレット本体に接続されたものである、請求項１から５のいずれか１項に記載のガラス本体支持アセンブリ。
【請求項８】
前記クランプ指状部は、前記コレット本体を形成した材料とは異なる材料で形成されたものである、請求項７に記載のガラス本体支持アセンブリ。
【発明の詳細な説明】
【関連出願の相互参照】
【０００１】
本願は、「ＧＬＡＳＳ  Ａｒｔｉｃｌｅ  Ｐｒｏｃｅｓｓｉｎｇ  Ａｐｐａｒａｔｕｓｅｓ  ａｎｄ  Ｍｅｔｈｏｄｓ」という名称で、２０１６年５月２３日に出願された米国仮特許出願第６２／３４０，０９４号の優先権の利益を主張し、その全体が、参照により本明細書に組み込まれる。
【技術分野】
【０００２】
本明細書は、概して、ガラス物品装置および方法に関し、より具体的には、低摩擦被膜を、薬剤容器などのガラス物品に形成するガラス処理装置および方法に関する。
【背景技術】
【０００３】
ガラスは、他の材料と比べて、密閉性、光学的清澄性および優れた化学的耐久性を有するので、薬剤を容器に詰めるのに好ましい材料として、歴史的に用いられてきた。具体的には、薬剤容器に使用するガラスは、適切な化学的耐久性を有して、その中に入れられた薬剤組成物の安定性に影響しないものでなければならない。適切な化学的耐久性を有するガラスは、化学的耐久性が証明されているＡＳＴＭ規格「タイプ１Ｂ」のガラス組成物を含む。
【０００４】
しかしながら、そのような利用例でのガラスの使用は、ガラスの機械的性能によって制限される。製薬業界において、ガラスの破損は、その破損した容器、および／または、容器の内容物が、エンドユーザを傷つけうるので、エンドユーザについての安全性の懸念材料である。更に、非壊滅的破損（つまり、ガラスに亀裂を生じるが、割れていない）も、内容物の無菌性を失わせ、それは、次に、高額な製品リコールにつながりうる。
【０００５】
具体的には、ガラス薬剤容器の製造および内容物詰め工程は、高速処理速度で行われるので、容器が、処理器具、取扱い器具および／または他の容器と接触した場合に、容器の表面に、摩耗などの機械的破損を生じさせうる。この機械的破損は、ガラス薬剤容器の強度を大きく低下させ、ガラスに亀裂が広がる可能性を高めて、その容器に入れられた薬剤の無菌性を犠牲にするか、または、容器を完全に破壊させる可能性がある。
【０００６】
ガラス容器の機械的耐久性を高めるためのアプローチの一つは、ガラス容器を、熱的および／または化学的に強化することである。熱的強化処理は、成形後の急冷中に表面圧縮応力を生じさせて、ガラスの強度を高める。この技術は、平坦な形状を有するガラス物品（窓など）、約２ｍｍより厚いガラス物品、および、高い熱膨張率を有するガラス組成物では、よく機能する。しかしながら、薬剤のガラス容器は、典型的には、（小瓶状、管状、アンプル状などの）複雑な幾何学形状、および、（場合によっては、約１〜１．５ｍｍの間の）薄い壁部を有し、更に、低膨張率のガラスから製造されるものであり、そのことは、ガラス薬剤容器の強度を、熱強化処理によって高めるのを、不適切にしている。化学強化処理も、表面圧縮応力を導入することによって、ガラスを強化する。応力は、物品を溶融塩浴に浸漬することによって、導入される。ガラスからのイオンが、溶融塩からのより大きいイオンと交換されて、圧縮応力がガラスの表面で生じる。化学強化処理の利点は、複雑な形状で薄いサンプルに使用可能で、ガラス基部の熱膨張特性に比較的影響されないことである。
【０００７】
それでも、上記のような強化技術は、強化ガラスの強度を高め、鈍い衝撃に耐えるようにするが、これらの技術は、製造、出荷、および、取扱い中に生じうるスクラッチなどに対する耐摩耗性を高める効果は、低い。
【発明の概要】
【発明が解決しようとする課題】
【０００８】
したがって、ガラス物品に被膜を形成して、機械的破損に対して、より高い耐久性を提供するガラス処理装置および方法が、必要である。
【課題を解決するための手段】
【０００９】
一実施形態によれば、ガラス被膜装置と用いる被膜キャリアは、複数のスピンドルコネクタ受付け特徴物を有する被膜基部を含む。各スピンドルコネクタ受付け特徴物は、ガラス容器本体を支持するように構成されたガラス本体支持アセンブリのスピンドルコネクタを移動自在に受け付ける大きさを有する空洞部を含む。
【００１０】
他の実施形態において、ガラス容器本体を直立に支持するガラス本体支持アセンブリは、コレット本体と、ガラス容器本体の細くなった部分へ留めるように構成されたクランプ指状部とを含む。コレット本体は、その中を通って延伸するガスパージ通路を有し、加圧気体を、ガラス容器本体の内部に送る。
【００１１】
更に他の実施形態において、スピンドル回転装置のスピンドル部は、基部と、基部から外側に延伸して、ガラス本体支持アセンブリのスピンドル接続部に接続するように構成された先端部とを含む。磁石は、基部と先端部の少なくとも一方に位置し、磁力を加えて、スピンドル接続部が先端部と係合した時に、スピンドル接続部の軸方向の移動を阻止するように配置される。
【００１２】
被膜されたガラス物品、並びに、その製造方法および処理の更なる特徴および利点を、次の詳細な記載に示し、それは、部分的には、当業者には、その記載から明らかであるか、または、次の詳細な記載、請求項、および、添付の図面を含む本明細書に記載の実施形態を実施することによって、分かるだろう。
【００１３】
ここまでの概略的記載および次の詳細な記載の両方が、様々な実施形態を記載し、請求した主題の本質および特徴を理解するための概観または枠組みを提供することを意図すると、理解すべきである。添付の図面は、様々な実施形態の更なる理解のために提供されたものであり、本明細書に組み込まれ、その一部を形成する。図面は、本明細書に記載の様々な実施形態を示し、明細書の記載と共に、請求した主題の原理および動作を説明する役割を果たす。
【図面の簡単な説明】
【００１４】
【図１】本明細書に示し、記載した１つ以上の実施形態による低摩擦被膜を有するガラス容器を、概略的に示す断面図である。
【図２】本明細書に示し、記載した１つ以上の実施形態によるポリマー層およびカップリング剤層を含む低摩擦被膜を有するガラス容器を、概略的に示す断面図である。
【図３】本明細書に示し、記載した１つ以上の実施形態によるポリマー層、カップリング剤層および界面層を含む低摩擦被膜を有するガラス容器を、概略的に示す断面図である。
【図４】本明細書に示し、記載した１つ以上の実施形態によるガラス容器本体の形成および処理方法を示す。
【図５】本明細書に示し、記載した１つ以上の実施形態による被膜キャリアを、概略的に示す斜視図である。
【図６】被膜キャリアを、図５の６−６線に沿って、概略的に示す部分断面図である。
【図７】本明細書に示し、記載した１つ以上の実施形態による図５の被膜キャリアを、ガラス本体支持アセンブリのスピンドルコネクタと共に、概略的に示す他の部分断面図である。
【図８】本明細書に示し、記載した１つ以上の実施形態によるガラス本体支持アセンブリを示す斜視図である。
【図９】本明細書に示し、記載した１つ以上の実施形態による図８のガラス本体支持アセンブリのガラス容器接続部を示す。
【図１０】本明細書に示し、記載した１つ以上の実施形態によるスピンドル回転装置のスピンドル部を示す。
【図１０Ａ】図１０のスピンドル回転装置の断面図である。
【図１１】図１０のスピンドル回転装置の底部断面図である。
【図１２】本明細書に示し、記載した１つ以上の実施形態による、図５の被膜キャリアをスピンドル回転装置に接続する接続動作を示す。
【図１３】ガラス容器本体を、図８のガラス本体支持アセンブリに入れるのに使用する、本明細書に示し、記載した１つ以上の実施形態によるガラスロード装置を示す。
【図１４】図１３のガラスロード装置を示す他の図である。
【図１５】ガラス容器本体を、図８のガラス支持アセンブリから取り出すのに使用する、本明細書に示し、記載した１つ以上の実施形態によるガラスアンロード装置を示す。
【図１６】図１５のガラスアンロード装置の把持部機構を、詳細に示す図である。
【図１７】本明細書に示し、記載した１つ以上の実施形態による、開口した側面を有する被膜キャリアの他の実施形態を示す斜視図である。
【図１８】本明細書に示し、記載した１つ以上の実施形態による、閉鎖構成のコレット式のガラス本体支持アセンブリを示す断面図である。
【図１９】図１８のコレット式のガラス本体支持アセンブリの他の断面図を示し、開放構成である。
【図２０】本明細書に示し、記載した１つ以上の実施形態による図１８のガラス本体支持アセンブリの加熱ラックへのアンロード動作を示す。
【図２１】本明細書に示し、記載した１つ以上の実施形態による、コレット式のガラス本体支持アセンブリの他の実施形態を示す断面図である。
【図２２】本明細書に示し、記載した１つ以上の実施形態による図２１のガラス支持アセンブリについて、クランプ指状部を有さないコレット本体を示す斜視図を示す。
【図２３】クランプ指状部を有する図２２のコレット本体を示す斜視図である。
【図２４】図２１のガラス本体支持アセンブリを示す斜視図である。
【図２５】本明細書に示し、記載した１つ以上の実施形態による、他のコレット式のガラス支持アセンブリを示す断面図である。
【図２６】本明細書に示し、記載した１つ以上の実施形態による図２５のガラス支持アセンブリについて、クランプ指状部を有さないコレット本体を示す斜視図を示す。
【図２７】クランプ指状部が取り付けられた図２６のコレット本体を示す斜視図である。
【図２８】本明細書に示し、記載した１つ以上の実施形態による、磁石を有するスピンドル部を示す斜視図である。
【図２９】図２８の２９−２９線に沿って、スピンドル部を示す断面図である
【図３０】本明細書に示し、記載した１つ以上の実施形態による、磁石を有する他のスピンドル部を示す斜視図である。
【図３１】本明細書に示し、記載した１つ以上の実施形態による、磁石を有する他のスピンドル部を示す斜視図である。
【図３２】本明細書に示し、記載した１つ以上の実施形態による、磁石を有する他のスピンドル部を示す断面図である。
【発明を実施するための形態】
【００１５】
ここで、低摩擦被膜、低摩擦被膜を有するガラス物品、並びに、それを製造する装置および方法を、詳細に記載し、その例を、図面に概略的に示す。そのような被膜されたガラス物品は、様々な容器詰めでの使用に適したガラス容器であり、限定するものではないが、薬剤容器としての使用を含みうる。これらの薬剤容器は、薬剤組成物が入っていても、入っていなくてもよい。本明細書において、特に添付の図面を参照して、低摩擦被膜、低摩擦被膜を有するガラス物品、それを形成する方法の様々な実施形態を、更に詳細に記載する。本明細書に記載の低摩擦被膜の実施形態は、ガラス容器の外面に形成されているが、記載する低摩擦被膜を、非ガラス材料を含む広範囲の様々な材料の上に、および、限定するものではないが、ガラス表示パネルなどを含む、容器以外の基部の上に、被膜として用いうると、理解すべきである。
【００１６】
概して、低摩擦被膜を、薬剤容器として使用しうる容器などのガラス物品の表面に形成しうる。低摩擦被膜は、被膜されたガラス物品に、低い摩擦係数および高い耐破損性などの有利な特徴を提供しうる。低い摩擦係数は、ガラスへの摩擦性破損を軽減して、より高い強度および耐久性を、ガラス物品に与えうる。更に、低摩擦被膜は、上記のような、より高い強度および耐久性を、高温、並びに、薬剤容器詰めで用いられる容器詰め工程、および、容器詰め前工程、例えば、脱パイロジェン、加圧滅菌などで経験する他の条件に曝された後も、維持しうる。したがって、低摩擦被膜、および、低摩擦被膜を有するガラス物品は、熱的に安定である。
【００１７】
低摩擦被膜は、概して、シランなどのカップリング剤、および、ポリイミドなどのポリマー化学組成物を含みうる。いくつかの実施形態において、カップリング剤を、ガラス物品の表面に位置するカップリング剤層に位置させ、ポリマー化学組成物を、そのカップリング剤層上に位置するポリマー層に位置させうる。他の実施形態において、カップリング剤とポリマー化学組成物は、１つの層内で混合されていてもよい。
【００１８】
図１を参照すると、ガラス容器の形態の被膜されたガラス物品１０の断面図を示している。被膜されたガラス容器１０は、ガラス容器本体１２および低摩擦被膜１４を含む。ガラス容器本体１２は、外面１８（つまり、第１の表面）と内面２０（つまり、第２の表面）の間に延伸するガラス容器壁部１６を有する。ガラス容器本体１２は、概して、上端部２２、および、上端部２２に対向する底端部２４を有する。ガラス容器壁部１６の内面２０は、被膜されたガラス容器１０の内容積部２６を画定する。
【００１９】
図示した例において、被膜されたガラス容器１０は、本体部２８と、上端部２２において、細くなった部分３０とを含む。細くなった部分３０は、幅方向の寸法（例えば、直径）が、首部領域３４まで減少する肩部領域３２を含む。首部領域３４は、フランジ領域３６までの高さの少なくとも一部に沿って、略一定の内径および／または外径を有しうるもので、フランジ領域３６では、外径が増加して、首部領域３４を越えた位置で、肩部領域３２の少なくとも一部の上に張り出しうる。いくつかの実施形態において、フランジ領域３６の内径は、首部領域３４の内径と略同じでありうるもので、それにより、首部領域３４に沿って、上端部２２の開口部３５まで、略一定の内径を提供しうる。他の実施形態において、フランジ領域３６の内径と、首部領域３４の内径は、異なっていてもよい。ガラス容器本体１２の底端部２４は、開口端部４０を含みうる。いくつかの実施形態において、開口端部４０での内径（および外径）が、本体部２８に沿ったガラス容器１２の高さＨに沿って、細くなった部分３０まで、略一定でありうる。いくつかの実施形態において、フランジ領域３６の外径は、本体部２８の外径（および内径）未満でありうる。ガラス容器本体１２の開口端部４０は、ガラス容器壁部１６の内面２０に対して確実に封止を行いうるプランジャなどの装置の挿入を、容易にしうる。
【００２０】
ガラス容器本体１２の高さＨは、ガラス容器本体１２の幅Ｗ（例えば、外径）より高い。いくつかの実施形態において、ガラス容器本体１２の高さＨは、ガラス容器本体１２の幅Ｗの約２．５倍以上、約３倍以上、約３．５倍以上、約４倍以上、約４．５倍以上、約５倍以上など、少なくとも約２倍以上でありうる。以下に、より詳細に記載するように、高さＨの幅Ｗに対する比が、そのように比較的大きい場合には、ガラス容器本体１２を比較的高速で回転する被膜処理中に、特有の問題を生じうる。
【００２１】
低摩擦被膜１４を、ガラス容器本体１２に形成する。低摩擦被膜１４は、ガラス容器本体１２の外面１８の少なくとも一部に配置される。低摩擦被膜１４は、外側接触面４４と、ガラス容器本体１２の外面１８に接合されうる内側ガラス界面４６とを含む。図示した例において、低摩擦被膜１４は、主に、本体部２８に沿って位置しうる。これは、本体部２８が、最大の外径を示し、それにより、周囲の物体と接触し易いからである。低摩擦被膜１４を、ガラス容器本体１２の開口端部４０に備えることも、望ましいことがありうる。これは、例えば、詰める動作中に、ガラス容器本体１２の開口端部４０は、被膜されたガラス容器１０に基部を提供し、多数のタイプの支持面（例えば、コンベア面）と接触しうるからである。
【００２２】
逆に、低摩擦被膜１４を、被膜されたガラス容器１０の内部に、または、被膜されたガラス容器１０のうち、少なくとも、薬剤、ホルモン、または、他の治療用物質に接触しうる内側領域に沿って備えるのは、望ましくないことがありうる。いくつかの実施形態において、低摩擦被膜１４を、詰める動作中に挿入されるプランジャの下方または外側に位置しうる底部内側部分４５に沿って、若しくは、肩部領域３２、首部領域３４、および、フランジ領域３６に沿ってなど、被膜されたガラス容器１０のうち、その内容物に曝されない領域内に、形成しうる。図示した実施形態において、低摩擦被膜１４は、肩部領域３２の一部だけに亘って延伸し、首部領域３４の下で終端している。そのような配置は、低摩擦被膜１４が、上端部２２の開口部３５を通って、ガラス容器本体１２の内部に入るのを防ぐのを助けうる。
【００２３】
一実施形態において、被膜されたガラス容器１０は、薬剤容器である。被膜されたガラス容器１０を任意の組成物を入れるのに使用し、一実施形態においては、薬剤組成物を入れるのに使用しうる。薬剤組成物は、医学診断、治療、処置、または、病気予防での使用を意図した任意の化学物質を含みうる。薬剤組成物の例は、限定するものではないが、薬、薬物、薬品、薬剤、治療薬などを含む。薬剤組成物は、液体状、固体状、ゼリー状、懸濁状、粉状などの形態でありうる。
【００２４】
ここで、図２を参照すると、いくつかの実施形態において、低摩擦被膜１４は、二層構造物を含む。図２は、被膜されたガラス容器１０の断面図を示しており、低摩擦被膜は、ポリマー層５０、および、カップリング剤層５２を含む。ポリマー化学組成物が、ポリマー層５０に含まれ、カップリング剤が、カップリング剤層５２に含まれてもよい。カップリング剤層５２は、ガラス容器壁部１６の外面１８と、直に接触しうる。ポリマー層５０は、カップリング剤層５２と直に接触して、低摩擦被膜１４の外面４４を形成しうる。いくつかの実施形態において、カップリング剤層５２は、ガラス容器壁部１６に接合され、ポリマー層５０は、界面で、カップリング剤層５２に接合される。しかしながら、いくつかの実施形態において、低摩擦被膜１４は、カップリング剤を含まないことがありうるもので、ポリマー化学組成物を、ガラス容器壁部１６の外面１８と直に接触するポリマー層５０に、位置させうる。他の実施形態において、ポリマー化学組成物とカップリング剤を、実質的に、１つの層で混合しうる。いくつかの他の実施形態において、ポリマー層は、カップリング剤層の上に位置しうるもので、それは、ポリマー層５０が、カップリング剤層５２およびガラス壁部１６に対して外側層であることを、意味する。本明細書において用いるように、第２の層の「上に」位置する第１の層とは、第１の層が、第２の層と直に接触するか、または、第１と第２の層の間に第３の層が位置する場合など、第２の層から分離されうることを意味する。
【００２５】
ここで、図３を参照すると、一実施形態において、低摩擦被膜１４は、カップリング剤層５２とポリマー層５０の間に位置する界面層５４を、更に含みうる。界面層５４は、カップリング剤層５２の１つ以上の化学組成物と結合した、ポリマー層５０の１つ以上の化学組成物を、含みうる。本実施形態において、カップリング剤層５２とポリマー層５０の界面は、ポリマー化学組成物とカップリング剤とが結合する界面層５４を形成する。しかしながら、いくつかの実施形態において、図２を参照して記載したように、カップリング剤層５２とポリマー層５０の界面で、ポリマーとカップリング剤が互いに化学的に結合した視認しうる層がないことがありうると、理解すべきである。
【００２６】
ガラス容器本体１２に形成された低摩擦被膜１４は、約１００μｍ未満、または、約１μｍ以下さえもの厚さを有しうる。いくつかの実施形態において、低摩擦被膜１４の厚さは、約１００ｎｍ以下の厚さでありうる。他の実施形態において、低摩擦被膜１４は、約９０ｎｍ未満、約８０ｎｍ未満、約７０ｎｍ未満、約６０ｎｍ未満、約５０ｎｍ未満、または、約２５ｎｍ未満さえもの厚さでありうる。いくつかの実施形態において、低摩擦被膜１４は、ガラス容器本体１２の全体に亘って、均一な厚さでなくてもよい。例えば、ガラス容器本体１２を、低摩擦被膜１４を形成する１つ以上の被膜溶液と接触させる処理により、被膜されたガラス容器１０は、いくつかの領域において、より厚い低摩擦被膜１４を有しうる。いくつかの実施形態において、低摩擦被膜１４は、非均一な厚さを有しうる。例えば、被膜の厚さは、被膜されたガラス容器１０の異なる領域に亘って変化し、それにより、選択された領域の保護を促進しうる。
【００２７】
ポリマー層５０、界面層５４、および／または、カップリング剤層５２などの少なくとも２つの層を含む実施形態において、各層は、約１００μｍ未満、または、約１μｍ以下さえもの厚さを有しうる。いくつかの実施形態において、各層の厚さは、約１００ｎｍ以下でありうる。他の実施形態において、各層は、約９０ｎｍ未満、約８０ｎｍ未満、約７０ｎｍ未満、約６０ｎｍ未満、約５０ｎｍ未満、または、約２５ｎｍ以下さえもの厚さを有しうる。
【００２８】
低摩擦被膜１４を形成しうるガラス容器は、様々な異なるガラス組成物から形成しうる。ガラス物品の具体的な組成物は、具体的な利用例に応じて、ガラスが望ましい物性の組を有するように選択しうる。
【００２９】
ガラス容器は、約２５×１０−７／℃から８０×１０−７／℃の範囲の熱膨張係数を有するガラス組成物から形成しうる。例えば、本明細書に記載のいくつかの実施形態において、ガラス容器本体１２は、イオン交換によって強化しうるアルカリアルミノケイ酸塩ガラス組成物から、形成される。そのような組成物は、概して、ＳｉＯ２、Ａｌ２Ｏ３、少なくとも１つのアルカリ土類酸化物、並びに、Ｎａ２Ｏおよび／またはＫ２Ｏなどの１つ以上のアルカリ酸化物の組合せを含む。これらの実施形態のいくつかにおいて、ガラス組成物は、ホウ素、および、ホウ素含有化合物を含まないものでありうる。いくつかの他の実施形態において、ガラス組成物は、例えば、ＳｎＯ２、ＺｒＯ２、ＺｎＯ、ＴｉＯ２、Ａｓ２Ｏ３など、少量の１つ以上の更なる酸化物を、更に含みうる。これらの要素は、清澄剤として、および／または、ガラス組成物の化学的耐久性を更に高めるために、加えられる。他の実施形態において、ガラス表面は、ＳｎＯ２、ＺｒＯ２、ＺｎＯ、ＴｉＯ２、Ａｓ２Ｏ３などを含む金属酸化物膜を含みうる。
【００３０】
本明細書に記載のいくつかの実施形態において、ガラス容器本体１２は、イオン交換による強化などで強化され、本明細書において、「イオン交換ガラス」と称される。例えば、ガラス容器本体１２は、約３００ＭＰａ以上、または、約３５０ＭＰａ以上もの圧縮応力を有しうる。いくつかの実施形態において、圧縮応力は、約３００ＭＰａから約９００ＭＰａの範囲でありうる。しかしながら、いくつかの実施形態において、ガラスの圧縮応力は、３００ＭＰａ未満、または、９００ＭＰａより高いことがありうると、理解すべきである。いくつかの実施形態において、ガラス容器本体１２は、２０μｍ以上の層深さを有しうる。これらの実施形態のいくつかにおいて、層深さは、５０μｍより深いか、または、７５μｍ以上もでありうる。更に他の実施形態において、層深さは、１００μｍまでか、または、それより深くてもよい。約３５０℃から約５００℃の温度に維持された溶融塩浴で、イオン交換による強化を行いうる。望ましい圧縮応力を実現するには、（被膜されていない）ガラス容器を、約３０時間未満か、または、約２０時間未満、塩浴に浸漬しうる。例えば、一実施形態において、ガラス容器を、１００％のＫＮＯ３の塩浴に、４５０℃で、約８時間、漬浸する。
【００３１】
特に例示的な一実施形態において、ガラス容器本体１２を、「Ｇｌａｓｓ  Ｃｏｍｐｏｓｉｔｉｏｎｓ  ｗｉｔｈ  Ｉｍｐｒｏｖｅｄ  Ｃｈｅｍｉｃａｌ  ａｎｄ  Ｍｅｃｈａｎｉｃａｌ  Ｄｕｒａｂｉｌｉｔｙ」という名称で、２０１２年１０月２５日に出願され、Ｃｏｒｎｉｎｇ，Ｉｎｃｏｒｐｏｒａｔｅｄに譲渡された係属中の米国特許出願第１３／６６０，８９４号明細書に記載のイオン交換性ガラス組成物から、形成しうる。
【００３２】
しかしながら、本明細書に記載の被膜されたガラス容器１０を、限定するものではないが、イオン交換性ガラス組成物、および、非イオン交換性ガラス組成物を含む他のガラス組成物から形成しうると、理解すべきである。例えば、いくつかの実施形態において、ガラス容器を、例えば、Ｓｃｈｏｔｔの１Ｂタイプのアルミノケイ酸塩ガラスなど、１Ｂタイプの組成物から、形成しうる。
【００３３】
本明細書に記載のいくつかの実施形態において、ガラス物品を、耐加水分解性に基づいて、ＵＳＰ（米国薬局方）、ＥＰ（欧州薬局方）およびＪＰ（日本薬局方）などの規制機関によって記載された薬剤用ガラスについての基準を満たすガラス組成物から、形成しうる。ＵＳＰ６６０およびＥＰ７によれば、ホウケイ酸塩ガラスは、タイプＩ基準を満たし、通常、非経口薬の容器に使用されている。ホウケイ酸塩ガラスの例は、限定するものではないが、Ｃｏｒｎｉｎｇ（登録商標）のＰｙｒｅｘ（登録商標）７７４０、７８００およびＷｈｅａｔｏｎ１８０、２００、４００、Ｓｃｈｏｔｔ  Ｄｕｒａｎ、Ｓｃｈｏｔｔ  Ｆｉｏｌａｘ、ＫＩＭＡＸ（登録商標）Ｎ−５１Ａ、並びに、Ｇｅｒｒｅｓｃｈｅｉｍｅｒ  ＧＸ−５１  Ｆｌｉｎｔなどを含む。ソーダ石灰ガラスは、タイプＩＩＩ基準を満たし、次に溶解されて溶液または緩衝液を生成する乾燥粉末の容器詰めには、許容しうる。タイプＩＩＩガラスは、アルカリに反応しないことが証明されている液体調合薬の容器詰めにも、適している。タイプＩＩＩのソーダ石灰ガラスの例は、Ｗｈｅａｔｏｎ８００、９００を含む。脱アルカリ処理されたソーダ石灰ガラスは、より高いレベルの水酸化ナトリウム、および、酸化カルシウムを有し、タイプＩＩ基準を満たす。これらのガラスは、耐溶出性が、タイプＩガラスより低いが、タイプＩＩＩガラスより高い。タイプＩＩガラスを、品質保持期間中はｐＨ７未満に留まる製品に、使用しうる。例としては、硫酸アンモニウムで処理したソーダ石灰ガラスを含む。これらの薬剤用ガラスは、様々な化学組成物を有し、２０〜８５×１０−７℃−１の範囲の線熱膨張係数（ＣＴＥ）を有する。
【００３４】
本明細書に記載の被膜されたガラス物品が、ガラス容器の場合には、被膜されたガラス容器１０のガラス容器本体１２は、様々な異なる形状でありうる。例えば、本明細書に記載のガラス容器本体１２を用いて、バイアル、アンプル、カートリッジ、注射器本体、および／または、薬剤組成物を保存するための任意の他のガラス容器などの被膜されたガラス容器１０を、形成しうる。更に、被膜前に、ガラス容器を化学強化できることを利用して、ガラス容器の機械的耐久性を、更に高めうる。したがって、少なくとも一実施形態において、低摩擦被膜１４を形成する前に、ガラス容器を、イオン交換で強化しうると理解すべきである。その代わりに、米国特許第７，２０１，９６５号明細書に記載されたような熱焼戻し、火炎仕上げ、および、積層処理などの他の強化方法を用いて、被膜前にガラスを強化しうる。
【００３５】
ここで、図４を参照すると、低摩擦被膜１４を有する被膜されたガラス容器１０の製造方法２００を示している。工程２０２において、プリフォームガラス本体を、任意の適切な処理を用いて、イオン交換性ガラス組成物から形成し、何かに詰めて、更に、イオン交換ステーションに運ぶ。次に、工程２０４において、プリフォームガラス本体を、例えば、多数のプリフォームガラス本体を把持可能な機械的ローダを用いて、マガジンに入れて、次に、プリフォームガラス本体を検査しうる。マガジンローダを、ロボットアーム、または、マガジンローダをプリフォームガラス本体およびマガジンに対して配置可能な他の同様の装置に、連結しうる。
【００３６】
工程２０６において、プリフォームガラス本体に、上記のようなイオン交換処理を行いうる。マガジンのうちの多数を保持するような大きさを有し、構成されたカセットに、多数のマガジンを入れることによって、プリフォームガラス本体を、まとめて処理して、多数のプリフォームガラス本体を同時に処理するようにしうる。機械的把持装置などのカセットローダを用いて、各マガジンを、カセットに配置しうる。カセットローダを、ロボットアーム、または、カセットローダをカセットおよびマガジンに対して配置可能な他の同様の装置に、連結しうる。
【００３７】
次に、マガジンおよびプリフォームガラス本体を収容したカセットを、イオン交換ステーションに移動し、イオン交換槽に入れて、上記のようなプリフォームガラス容器本体１２の強化を容易にしうる。カセットを、機械的把持装置などのカセット移動装置を用いて、イオン交換ステーションに移動しうる。カセット移動装置を、ロボットアーム、または、カセットをイオン交換ステーションに対して配置可能な他の装置に、連結しうる。
【００３８】
カセット移動装置、および、取り付けられたカセットが、イオン交換ステーションに到達すると、カセット、および、その中に収容されたプリフォームガラス本体を、カセットおよびプリフォームガラス本体をイオン交換槽に浸漬する前に、予め加熱しうる。カセットを、室温より高く、イオン交換槽の溶融塩浴の温度以下の温度まで、予め加熱しうる。例えば、プリフォームガラス本体を、約３００℃〜５００℃の温度まで、予め加熱しうる。
【００３９】
イオン交換槽は、ＫＮＯ３、ＮａＮＯ３、および／または、それらの組合せなど、溶融アルカリ塩などの溶融塩浴を含みうる。一実施形態において、溶融塩浴は、約３５０℃以上約５００℃以下の温度に維持される１００％の溶融ＫＮＯ３である。しかしながら、様々な他の組成物および／または温度を有する溶融アルカリ塩浴も使用して、プリフォームガラス本体のイオン交換を容易にしうると、理解すべきである。
【００４０】
プリフォームガラス本体を、イオン交換槽でのイオン交換で強化する。具体的には、プリフォームガラス本体を、溶融塩に浸漬して、そこで、プリフォームガラス本体で望ましい圧縮応力および層深さを実現するのに十分な時間、保持する。例えば、一実施形態において、プリフォームガラス本体を、イオン交換槽に、少なくとも約３００ＭＰａ、または、３５０ＭＰａもの圧縮応力で、約１００μｍまでの層深さを実現するのに充分な時間、保持しうる。保持時間は、３０時間未満、または、２０時間未満でありうる。しかしながら、プリフォームガラス本体を槽に保持する時間は、プリフォームガラス本体の組成物、溶融塩浴の組成物、溶融塩浴の温度、並びに、望ましい層深さ、および、望ましい圧縮応力に応じて変化しうると、理解すべきである。
【００４１】
プリフォームガラス本体をイオン交換で強化した後に、カセット移動装置をロボットアームまたはオーバーヘッドクレーンと共に用いて、カセットおよびガラス本体を、イオン交換槽から取り出しうる。イオン交換槽から取り出す間に、プリフォームガラス本体を有するカセットをイオン交換槽の上方に吊るして、カセットを、水平軸を中心に回転し、ガラス本体に残る溶融塩を取り除いて、イオン交換槽に戻すようにしうる。その後、カセットを回転して、最初の位置まで戻し、ガラス本体を、水洗前に冷却させる。
【００４２】
次に、カセットおよびガラス本体を、カセット移動装置を用いて、水洗ステーションに移動しうる。この移動処理は、上記のようにロボットアームまたはオーバーヘッドクレーンを用いて行うか、その代わりに、コンベアベルトなどの自動コンベアを用いて行いうる。カセットおよびガラス本体を、水浴を有する水洗槽の中まで下げて、ガラス本体の表面から余分な塩を除去しうる。カセットおよびガラス本体を、ロボットアーム、オーバーヘッドクレーン、または、カセット移動装置に連結された同様の装置を用いて、水洗槽の中まで下げうる。次に、カセットおよびガラス本体を、水洗槽から引き出して、水洗槽の上方に吊るして、カセットを、水平軸を中心に回転し、ガラス本体に残る水洗用の水を取り除いて、水洗槽に戻すようにしうる。いくつかの実施形態において、カセットおよびガラス本体を、次の処理ステーションに移動させる前に、水洗動作を、多数回、行いうる。
【００４３】
マガジンを、カセットローダを用いて、カセットから取り外しうる。その後、工程２０８において、ガラス本体を、マガジンローダを用いて、マガジンから取り出して、洗浄ステーションに移動しうる。工程２１０において、ガラス本体を、ノズルから射出される脱イオン水の噴射で洗浄しうる。噴射された脱イオン水は、圧縮空気と混合されたものでありうる。ガラス本体を、検査ステーションに移動し、そこで、ガラス容器は、欠陥、破片、変色などについて、検査される。
【００４４】
工程２０２〜２１０は、ガラス本体を形成し、被膜動作前に強化する、前被膜工程と称しうる。本開示の態様は、特に、ガラス本体を被膜して、図１に示したような被膜されたガラス容器１０を形成する、次の被膜工程を対象としている。次に、ガラス本体を、ラックに移動しうる。ラックは、上記マガジンと同じ、または、異なる構造でありうる。更に、ガラス本体を、把持装置であり、ロボットアームに連結されたものでありうる機械的ローダによって、ラックに移動しうる。
【００４５】
工程２１２において、ガラス本体を、ラックから、別々の数のガラス本体をガラス被膜ステーションに供給するのに使用しうる被膜キャリアに、移動しうる。図５を参照すると、例示的な被膜キャリア２１４は、その上に、多数のガラス容器本体１２を、運んだり、ガラス被膜ステーションを通って使用したりするために、支持するように構成される。被膜キャリア２１４は、一対の支持アーム２１８、２２０の間に延伸する被膜基部２１６を含む。被膜基部２１６は、略平坦で、略平面のガラス本体支持側面２２２、および、反対を向いた略平面であるスピンドルコネクタ側面２２４を有しうる。支持アーム２１８、２２０には、外側に折り返された指状部２２５、２２７が備えられ、被膜処理中に、被膜キャリア２１４を、様々な構造物に接続、または、載置しうる。
【００４６】
ガラス本体支持側面２２２とスピンドルコネクタ側面２２４の間に、一連のスピンドルコネクタ受付け特徴物２２６が延伸している。図示した実施形態において、１２のスピンドルコネクタ受付け特徴物２２６が設けられているが、１２より多いか、または、１２より少ない数のスピンドルコネクタ受付け特徴物を使用してもよい。各スピンドルコネクタ受付け特徴物２２６は、ガラス本体支持アセンブリのスピンドルコネクタを移動自在に受け付けるような大きさを、有しうる。
【００４７】
図６を簡単に参照すると、被膜基部２１６は、支持本体２２８、および、支持本体２２８に、例えば、固定具２３２または他の適切な接続手段で接続されたコネクタ板２３０を含む。各スピンドルコネクタ受付け特徴物２２６は、空洞部２３４として形成され、空洞部２３４は、略均一に、互いに離間して、並んで位置し、１列のスピンドルコネクタ受付け特徴物２２６を形成する。スピンドルコネクタ受付け特徴物２２６は、ガラス本体支持側面２２２で、開口部２３６を有し、スピンドルコネクタ側面２２４で、開口部２３８を有する。開口部２３６、２３８は、空洞部２３４に接続し、空洞部２３４は、幅（例えば、直径）方向に、ガラス本体支持側面２２２からスピンドルコネクタ側面２２４へ先細で、円錐台形状を形成する。ガラス本体支持側面２２２の開口部２３６は、コネクタ板２３０を通って形成され、スピンドルコネクタ側面２２４の開口部は２３８、支持本体２２８を通って形成されうる。いくつかの実施形態において、スピンドルコネクタ側面２２４の開口部２３８は、他のコネクタ板を通って形成されうる。
【００４８】
図７も参照すると、空洞部２３４は、ガラス本体支持アセンブリ２４５のスピンドルコネクタ２４０（図８）を受け付けるような大きさを有する。円錐状の空洞部２３４は、スピンドルコネクタ２４０のスピンドル接続部２４２を受け付けるような大きさを有する。図示した実施形態において、スピンドル接続部２４２も、空洞部２３４の円錐形状に収まる（または、奥に達する）円錐台形状を有する。図７から分かるように、スピンドル接続部２４２は、支持本体２２８の底壁部２４４から離間した位置で、空洞部２３４の奥に達している。底壁部２４４は、空洞部２３４の下で延伸して、スピンドルコネクタ側面２２４の開口部２３８を画定する棚状部２４６を提供する。開口部２３８は、空洞部壁部２５０によって画定される空洞部２３４の底部２４８より、直径／幅が小さい。スピンドル接続部２４２が空洞部２３４の奥に達した状態で、間隙２５１が設けられうる。
【００４９】
コネクタ板２３０は、空洞部２３４の上で延伸し、ガラス本体支持側面２２２での開口部２３６を画定する棚状部２４６を提供する。開口部２３６は、空洞部壁部２５０によって画定される空洞部２３４の上部２５２より、直径／幅が小さい。棚状部２４６は、被膜動作中に、スピンドル接続部２４２が空洞部２３４で回転するのに十分な空間を提供しつつ、スピンドル接続部２４２を空洞部２３４内にトラップするのに、使用しうる。コネクタ板２３０を支持本体２２８から取り外すことで、スピンドル接続部２４２を空洞部２３４から取り外しうる。
【００５０】
図８を参照すると、ガラス本体支持アセンブリ２４５は、スピンドル接続部２４２に解放自在に接続されるガラス容器接続部２５４を含む。ガラス容器接続部２５４は、スピンドル接続部２４２の穴２５８（図７）に受け付けられるような大きさを有する接続基部２５６を含むピンの形状である。接続ヘッド２６０は、接続基部２５６から外側に延伸し、ガラス容器接続部２５４の長さに沿って延伸する長軸Ａを画定する。接続ヘッド２６０は、接続基部２５６から延伸し、互いに離間し、外端部２６５で再び接続する係合リブ２６２を、含みうる。係合リブ２６２は、互いに離間して、それらの間に、気体流開口部２６４を提供しうる。ガラス容器接続部２５４は、ＤｕＰｏｎｔから市販されているＤｅｌｒｉｎ（登録商標）アセタールホモポリマー樹脂など、被膜されたガラス容器１０の内部に接触するのに適すると共に、ガラス容器壁部１６（図１）と係合しうる任意の材料で、形成されうる。
【００５１】
被膜キャリア２１４は、多数のガラス本体支持アセンブリ２４５およびスピンドル接続部２４２を同時に使用できるようにし、処理能力を高めうるが、いくつかの実施形態においては、１つのガラス本体支持アセンブリ２４５、および、それに対応するスピンドル接続部２４２を使用しうることに留意すべきである。図８は、１つのガラス本体支持アセンブリ２４５、および、スピンドル回転装置２７２（図１０Ａ）に接続しうるスピンドル接続部２４２を示している。
【００５２】
図９を参照すると、接続ヘッド２６０を含むガラス容器接続部２５４が、被膜動作のために、ガラス容器本体１２の内容積部２６に挿入されているのが示されている。本実施形態において、接続ヘッド２６０は、接続ヘッド２６０の外端部２６５が、首部領域３４で、または、首部領域３４と外側肩部曲がり位置２６６の間の位置で、ガラス容器本体１２の内面２０に係合するように、ガラス容器本体１２に、ある距離だけ挿入される。係合リブ２６２における接続ヘッド２６０の幅は、係合リブ２６２が、本体部２８の高さに沿って、ガラス容器本体１２の内面に係合するように選択しうる。係合リブ２６２が、ガラス容器本体１２の内面２０に対して、そのように接触することで、各係合リブ２６２に関連した４つの表面位置における接触圧力を介して、ガラス容器本体１２を、接続ヘッド２６０上の適切な位置に保持しうる。
【００５３】
ガラス容器接続部２５４は、その中を延伸するガスパージ通路２６８を有する。ガスパージ通路２６８は、隣接した係合リブ２６２間に位置する気体流開口部２６４と連通している。いくつかの実施形態において、接続ヘッド２６０がガラス容器本体１２によって受け付けられた状態で、ガラス容器接続部２５４は、ガラス容器本体１２の内容積部２６に位置する幅（例えば、直径）が増加した隆起部２７０を、端部４０の近くに含みうる。隆起部２７０は、端部４０で、遮蔽部または遮断部を提供し、内容積部２６の気体の背圧を促進させうる。この遮蔽部および背圧が、被膜動作中に、被膜材料が内容積部に入るのを抑制しうる。
【００５４】
ここで、図１０および１０Ａを参照すると、スピンドル接続部２４２は、各々、スピンドル回転装置２７２に接続している。図１０および１０Ａにおいて、ガラス本体支持アセンブリ２４５のスピンドル接続部２４２に接続したスピンドル回転装置２７２のスピンドル部２７４だけを、示している。ベルト駆動または一体型モータ駆動装置を含む、任意の適切なスピンドル回転装置２７２を用いうる。図１０Ａから分かるように、スピンドル回転装置２７２は、スピンドル接続部２４２のスピンドル受付け穴２７８に受け付けられるような大きさ、および、形状を有する円錐状の先端部２７６を含む。ガスパージ通路２７５は、ガラス容器接続部２５４を通るガスパージ通路２６８、および、スピンドル接続部２４２を通る対応するガスパージ通路２７７と接続するために、スピンドル部２７４を通って延伸する。スピンドル受付け穴２７８は、対応する円錐形状を有し、スピンドル接続部２４２が、被膜キャリア２１４（図５）内に配置されたままで、先端部２７６の上に置かれた場合に、そこで奥に達しうる。図１０Ａおよび１１を参照すると、いくつかの実施形態において、スピンドル部２７４は、スピンドル接続部２４２の半径方向突出部２８３、２８５に係合しうる嵌合ピン２８０、２８２を含みうる。嵌合ピン２８０、２８２は、特に、（例えば、少なくとも約３００ｒｐｍ（３００ｍｉｎ−１）など、約２００ｒｐｍ（２００ｍｉｎ−１）より高い）比較的速い回転速度での機械的滑りを抑制しうる。
【００５５】
図１２を参照すると、接続動作において、上記のように、そこに支持されたガラス容器本体１２を有するガラス本体支持アセンブリ２４５を含む被膜キャリア２１４を、スピンドル部２７４を含むスピンドル回転装置２７２に移動しうる。いくつかの実施形態において、スピンドル回転装置２７２は、多数のガラス容器本体１２を同時に被膜するために、ガラス本体支持アセンブリ２４５と同じ数のスピンドル部２７４を含みうる。それでも、スピンドル回転装置２７２は、ガラス本体支持アセンブリ２４５の数より多いか、または、少ない数のスピンドル部２７４を含んでもよい。いくつかの実施形態において、１つのスピンドル回転装置２７２が、多数のスピンドル部２７４を含みうる。いくつかの実施形態において、スピンドル回転装置２７２は、１つだけのスピンドル部２７４を含み、多数のスピンドル回転装置を用いてもよい。
【００５６】
被膜キャリア２１４を、スピンドル部２７４に接するまで、下げうる。スピンドル部２７４の先端部２７６は、被膜キャリア２１４のスピンドル接続側面２２４の開口部２３８を通って、空洞部２３４に入りうる。次に、先端部２７６は、上記のように、スピンドル接続部２４２のスピンドル受付け穴２７８（図１０Ａ）と係合しうる。いくつかの実施形態において、先端部２７６は、スピンドル接続部２４２を、空洞部壁部２５０から僅かに上げて、空洞部２３４でのスピンドル接続部２４２の回転を容易にするような形状を、有しうる。再び、図１０Ａを参照すると、スピンドル部２７４は、ガラス容器接続部２５４のガスパージ通路２６８と接続しうるガスパージ通路２７５も含み、被膜動作中に、加圧気体を提供して、ガラス容器本体１２の内容積部２６をパージしうる。
【００５７】
図１３および１４を参照すると、ガラス容器本体１２を、洗浄後に、図４の工程２１２などで、ガラス本体支持アセンブリ２４５に入れるのに使用しうる例示的なガラスロード装置２８１を示している。このためには、ガラス容器本体１２の内面２０に接触するのに適した材料で形成されたガラス容器接続部２５４だけが、ガラス容器本体１２と接触するのが望ましいことがありうる。ガラスロード装置２８１は、ロード台２８４、および、ロード台２８４の略上方に位置する搬送部受付け固定部２８６を含みうる。ガラス容器本体１２のラック２８８は、ロボットアーム、および、オーバーヘッドクレーンなどの任意の適切な装置を用いて、若しくは、手動で、ロード台２８４に配置されうる。ラックは、Ｄｅｌｒｉｎ（登録商標）など、ガラス本体に接触するのに適した材料で形成されうる。位置合わせ特徴物を、ロード台２８４に備えて、ラック２８８を、搬送部受付け固定部２８６に対して、適切に配置しうる。
【００５８】
搬送部受付け固定部２８６は、（例えば、図５の支持アーム２１８を用いて、）ガラス本体支持アセンブリ２４５がロード台２８４に向かって延伸する状態で、被膜キャリア２１４を逆さまに保持するように、構成される。搬送部受付け固定部２８６を、移動自在載置アセンブリ２９０によって、ロード台２８４に移動自在に載置し、搬送部受付け固定部２８６が、ロード台２８４、および、その上に配置されたラック２８８に対して移動しうるようにする。いくつかの実施形態において、移動自在載置アセンブリ２９０は、搬送部受付け固定部２８６に、前方へ、後方へ、横へ、上方へ、および、下方への動作を提供しうる。他の実施形態において、搬送部受付け固定部２８６に、上方へ、下方へ、前方へ、および、後方への動作だけを提供してもよい。搬送部受付け固定部２８６は、手動で、および／または、作動器を用いて、自動で移動自在でありうる。
【００５９】
図面から分かるように、ガラス容器本体１２を、その開口底端部２４（図１）が搬送部受付け固定部２８６に向いた状態で、ラック２８８に入れうる。そのような配置は、ガラス本体支持アセンブリ２４５の接続ヘッド２６０を、ガラス容器本体１２の開口底端部２４を通って挿入するのを容易にする。接続ヘッド２６０を含む搬送部受付け固定部２８６が、各ガラス容器本体１２と位置合わせされたら、図１４に示すように、搬送部受付け固定部２８６を下げて、接続ヘッド２６０が底端部２４を通って受け付けられ、更に、係合リブがガラス容器本体１２の内面２０と係合するようにしうる。次に、被膜キャリア２１４を、搬送部受付け固定部２８６から解放し、それを、ひっくり返して、上記のような被膜ステーションに移動しうる。
【００６０】
再び、図４を参照すると、被膜処理を、工程２９４に示しており、それは、２段階の被膜処理であってもよい。ガラス容器本体１２が被膜され、被膜されたガラス容器１０を形成したら、工程２９８における硬化を行うために、被膜されたガラス容器１０を、ガラス本体支持アセンブリ２４５から取り出しうる。
【００６１】
図１５を参照すると、被膜処理完了後に硬化を行うか、または、被膜処理の段階の間でセッティングを行うなどの他の動作のために、被膜されたガラス容器１０を取り出すのに使用しうるガラスアンロード装置３００を示している。ガラスアンロード装置３００は、アンロード台３０２、および、アンロード台３０２の略上方に位置する把持ヘッドアセンブリ３０４を含みうる。被膜されたガラス容器１０を含む被膜キャリア２１４を、ロボットアーム、および、オーバーヘッドクレーンなどの任意の適切な装置を用いて、若しくは、手動で、アンロード台３０２に配置しうる。把持ヘッドアセンブリ３０４は、被膜されたガラス容器１０を把持するように構成された把持アーム３０８を有する多数の把持部機構３０６を含む。いくつかの実施形態において、把持部機構３０６の数は、被膜されたガラス容器１０の数（例えば、１２）に対応していてもよい。それでも、被膜されたガラス容器１０より多いか、または、少ない数の把持部機構３０６があってもよい。更に、把持アーム３０８は、Ｄｅｌｒｉｎ（登録商標）など、被膜されたガラス容器１０に接触するのに適した任意の材料で形成しうる。位置合わせ特徴物をアンロード台３０２に備えて、被膜キャリア２１４を、把持ヘッドアセンブリ３０４に対して、適切に配置しうる。
【００６２】
把持ヘッドアセンブリ３０４を、移動自在載置アセンブリ３１０によって、アンロード台３０２に、移動自在に載置して、把持ヘッドアセンブリ３０４が、アンロード台３０２、および、その上に配置された被膜キャリア２１４に対して、移動しうるようにしうる。いくつかの実施形態において、移動自在載置アセンブリ３１０は、把持ヘッドアセンブリ３０４に、前方へ、後方へ、横へ、上方へ、および、下方への動作を提供しうる。他の実施形態において、把持ヘッドアセンブリ３０４に、上方へ、および、下方への動作だけを提供してもよい。把持ヘッドアセンブリ３０４は、手動で、および／または、作動器を用いて、自動で移動自在でありうる。
【００６３】
図１５を参照すると、被膜キャリア２１４、および、被膜されたガラス容器１０が、把持部機構３０６と位置合わせされた状態で、把持ヘッドアセンブリ３０４を、被膜キャリア２１４の方へ下げうる。いくつかの実施形態において、把持アーム３０８は、被膜されたガラス容器１０を受け付ける開放位置、および、被膜されたガラス容器１０に係合する閉鎖位置を有しうる。図１６は、把持アーム３０８の指状部３１２、３１４がガラス容器本体１２の首部領域３４に係合した閉鎖位置の把持アーム３０８を、示している。把持アーム３０８を、作動器を用いるか、または、何らかの機構を用いて手動で開閉するかなど、任意の適切な処理によって、開閉しうる。いくつかの実施形態において、把持アーム３０８は、閉鎖位置の方へ、ばねで付勢されて、それにより、被膜されたガラス容器１０をガラス本体支持アセンブリ２４５から取り出すのに十分な把持力を、提供しうる。再び、図１５を参照すると、被膜されたガラス容器１０は、ガラス本体支持アセンブリ２４５から取り外されると、グラファイトなど、被膜されたガラス容器１０に接触するのに、および、（例えば、１５０℃まで）加熱された温度に対し、適した材料で形成された突出部３１６（例えば、ピン）を有するラック３１５に、置かれうる。
【００６４】
再び、図４を参照すると、被膜されたガラス容器１０は、被膜キャリア２１４から取り出されると、工程２９８で、硬化され、工程３１８で、検査され、更に、工程３２０で、出荷用に梱包されうる。
【００６５】
図１７を参照すると、被膜キャリア３２２の他の実施形態は、開口した側面を有する構造で、ガラス本体支持アセンブリ２４５のスピンドルコネクタ２４０が、被膜キャリア３２２の空洞部３２４内へ、および、そこから外へと摺動するのを可能にする。上記被膜キャリア２１４と同様に、被膜キャリア３２２は、一対の支持アーム３２８、３３０の間に延伸する被膜基部３２６を含む。ガラス本体支持側面３３２とスピンドルコネクタ側面３３４の間には、空洞部３２４を含む一連のスピンドルコネクタ受付け特徴物３３６が延伸している。支持本体３３８は、スピンドルコネクタ側面の開口部３４２を画定する棚状部３４０を提供し、コネクタ板３４３は、ガラス支持側面３４８の開口部３４６を提供する棚状部３４４を提供する。棚状部３４０、３４４は、上記態様と同様に、スピンドルコネクタ２４０を、空洞部３２４にトラップするように提供されうる。
【００６６】
上記のピン状の形態のガラス本体支持アセンブリ２４５は、ガラス容器本体１２の内容積部２６に挿入されるが、図１８を参照すると、ガラス本体支持アセンブリ３５０の他の実施形態は、コレット式で、ガラス容器本体１２の内面２０と反対側の外面１８に係合する。ガラス本体支持アセンブリ３５０は、上記スピンドルコネクタ２４０と同様のスピンドルコネクタ３５４に接続されたコレット本体３５２を含む。コレット本体３５２は、スピンドルコネクタ３５４によって受け付けられて接続した軸部３５６、および、ガラス容器本体１２のフランジ領域３６に留めるのに使用するクランプ指状部３５８を含む。軸部３５６は、スピンドルコネクタ３５４の軸部受付け穴３６０に受け付けられる。ガスパージ通路３６２が、軸部３５６を通って設けられ、スピンドル受付け穴３６４と軸部受付け穴３６０とを分割する、ばね着座壁部３６５を通って設けられた開口部３６６を介して、スピンドルコネクタ３５４のスピンドル受付け穴３６４と連通している。
【００６７】
プランジャ３６８が、ガスパージ通路３６２に設けられ、ガスパージ通路３６２と連通したガスパージ通路３７０を、同様に含む。プランジャ３６８は、少なくとも部分的には、ガラス容器本体１２の上端部２２の開口部３５によって受付けられる先細の先端部３７２を含む。プランジャ３６８は、ばね着座壁部３６５に着座したばね３７４によって、ガラス容器本体１２に向かって、ばねで付勢されうる。
【００６８】
外側コレット閉鎖スリーブ３７６は、コレット本体３５２の周りに、摺動して受け付けられる。外側コレット閉鎖スリーブ３７６は、閉鎖力を、クランプ指状部３５８の外側に向かい先細の領域３８１に対して加えるのに用いる、内側に向かい先細の領域３７８を含み、クランプ指状部３５８を、半径方向に、ガラス容器本体１２のフランジ領域３６に向かって、内側に付勢する。外側コレット閉鎖スリーブ３７６は、スピンドルコネクタ３５４によって提供された外側着座面３８２に対して着座した外側ばね３８０を用いて、延伸位置の方へ、ばねで付勢されうる。
【００６９】
図１８は、閉鎖構成のガラス本体支持アセンブリ３５０を示し、外側コレット閉鎖スリーブ３７６が延伸位置で、クランプ指状部３５８が、ガラス容器本体１２のフランジ領域３６に対して、押されている。図示した実施形態において、クランプ指状部３５８は、フランジ領域３６の側面３８４に当接するフランジ当接部３８５、および、フランジ当接部３８５から外側に延伸して、フランジ領域３６の下側張り出し面３８８の周りに掛かるフランジ引っ掛け部３８６を含む。外側コレット閉鎖スリーブ３７６は、被膜処理中に、首部領域３４、および、フランジ領域３６を、被膜材料から保護する遮蔽部も、提供しうる。上記のように、プランジャ３６８は、ガラス容器本体１２の方へばねで付勢され、それも、図示した垂直向きで、ガラス容器本体１２を安定させる。
【００７０】
ここで、図１９を参照すると、開放構成のガラス本体支持アセンブリ３５０を示し、外側コレット閉鎖スリーブ３７６が、クランプ指状部３５８の外側に向かい先細の領域から離れるように、矢印３９０の方向に押されている。いくつかの実施形態において、外側コレット閉鎖スリーブ３７６に、手動で、力を加えうる。他の実施形態において、例えば、解放処理を自動に行うために、外側コレット閉鎖スリーブ３７６に、機械的に、または、空圧などの他の適切な機構によって、力を加えうる。
【００７１】
図面から分かるように、開放構成において、外側コレット閉鎖スリーブ３７６の内側に向かい先細の領域３７８を、取り外すか、または、クランプ指状部３５８の外側に向かい先細の領域３８１から、軸方向に離間させる。外側コレット閉鎖スリーブ３７６の内側に向かい先細の領域３７８を、クランプ指状部３５８の外側に向かい先細の領域３８１から取り外すことで、クランプ指状部３５８に対して、外側コレット閉鎖スリーブ３７６によって加えられる半径方向の力を取り除き、クランプ指状部３５８を、互いに離れるように、外側に曲げて、被膜されたガラス容器１０を解放させうる。プランジャ３６８が、ガラス容器本体１２に向かって、ばねで付勢されたことで、コレット閉鎖スリーブ３７６が開放構成であっても、ガラス本体を、図示した垂直方向に維持することも助けうる。これは、外側コレット閉鎖スリーブ３７６が開放構成でも、クランプ指状部３５８が、十分な半径方向の力をフランジ領域３６に対して加えたままであると共に、プランジャが、ガラス容器本体１２の垂直向きを維持するからである。
【００７２】
ここで、図２０を参照すると、開口した側面を有する被膜キャリア３２２の配置は、ガラス本体支持アセンブリ全体を、この例において、ガラス本体支持アセンブリ３５０を、開口した側面３９２を通って、被膜キャリア３２２から取り出すのを、容易にしうる。ガラス容器本体１２が、そこに接続されたガラス本体支持アセンブリ３５０を、加熱ラック３９４に移動し、そこで、被膜されたガラス容器本体１２に、セッティング、および／または、硬化を行うために、ガラス容器本体１２をガラス本体支持アセンブリ３５０から解放することなく、加熱しうる。ガラス本体支持アセンブリ３５０を、加熱ラック３９４によって提供された支持突出部３９６上に、図示したように直立に支持しうる。
【００７３】
図２１を参照すると、コレット式のガラス本体支持アセンブリ４００の他の実施形態を示している。ガラス本体支持アセンブリ４００は、比較的大きい高さＨの幅Ｗに対する比を有するガラス容器本体１２（図１）について、および／または、製造および設計上の必要から様々な質量不均衡性を有するガラス容器本体１２について、（例えば、約３５００ｒｐｍ（３５００ｍｉｎ−１）までか、それより速いなど）比較的高速回転で、ガラス容器本体１２を確実に保持するのに適したものでありうる。ガラス本体支持アセンブリ４００は、例えば、ガラス本体支持アセンブリ４００の開閉に空圧システムを用いた自動ロード処理にも、適したものでありうる。
【００７４】
ガラス本体支持アセンブリ４００は、内側軸部４０４の周りに位置するコレット本体４０２を含む。内側軸部４０４は、ガラス本体支持アセンブリ４００に中心軸を提供しうるもので、更に、スピンドル回転装置に次に接続されるスピンドル軸部４０６に、接続される。コレット閉鎖部４０８を、内側軸部４０４の周りに延伸するスピンドル軸部４０６の穴４１０に受け付けうる。内側軸部４０４は、コレット閉鎖部４０８の壁部４１４の開口部４１２を通って延伸する近位部分を有し、それは、中心軸に対し横向きに延伸し、スピンドル軸部４０６と接続し、内側軸部４０４を通るガスパージ通路４１６を、スピンドル軸部４０６を通るガスパージ通路４１８と位置合わせする。内側軸部４０４の封止部分４２０は、コレット閉鎖部４０８の内壁部４２２と係合して、例えば、封止部４２４を用いて、その間の封止を行い、開放および閉鎖構成にガラス本体支持アセンブリ４００を配置するのに使用しうる加圧気体室４２６を、提供しうる。
【００７５】
プランジャアセンブリ４２５を、内側軸部４０４の遠位端部４２７に接続しうる。プランジャアセンブリ４２５は、ばね４３１によって、ガラス容器本体１２のフランジ領域３６の方に付勢されたプランジャ４２９を、含みうる。プランジャ４２９は、その中を通って延伸し、内側軸部４０４の中を通るガスパージ通路４１６に接続されるガスパージ通路４３５を含む。封止部４３３（例えば、Ｏリング）を備えて、気体を、パージを行うために、ガラス容器本体１２に送ることを可能にしながら、プランジャを、ガラス本体のフランジ領域３６に対して、封止しうる。
【００７６】
コレット本体４０２は、外径が増加し、それにより、外側に向かい先細の領域４２８を提供する。コレット閉鎖部４０８は、内側に向かい先細の領域４３０を含み、その領域を用いて、閉鎖力を、コレット本体４０２の外側に向かい先細の領域４２８に対して加える。コレット本体４０２は、コレットナット４３４に挿入されるコレットナット挿入端部４３２を有し、それは、コレットナット挿入端部４３２でのコレット本体４０２の半径方向外側への移動を規制するが、コレット閉鎖部４０８によって加えられる力に応じたコレットナット挿入端部４３２でのコレット本体４０２の半径方向内側への移動を可能にする。コレットナット４３４を、スピンドル軸部４０６にも螺合自在に接続し、そこに、コレット本体４０２を配置して、コレット本体４０２のコレット閉鎖部４０８に対する軸方向の移動を抑制しうる。
【００７７】
コレット本体４０２を分離して示す図２２および２３も参照すると、コレット本体４０２は、コレット本体４０２が一体構成であることにより、コレットナット挿入端部４３２で、それ自体が外側に付勢するＥＲ型のコレット本体でありうる。コレット本体４０２は、金属で形成され、それは、ガラス容器本体１２との接触に適さないことがありうる。このため、コレット本体４０２に、例えば、ねじ山付き孔４３７（図２２）および固定具４３８を用いて、コレット本体４０２に接続しうるクランプ指状部４３６（図２３）を、備えうる。クランプ指状部４３６は、Ｄｅｌｒｉｎ（登録商標）など、ガラス容器本体１２に接触するのに適した材料で形成しうる。
【００７８】
図２１を再び参照すると、ガラス本体支持アセンブリ４００は、ガラス容器本体１２を囲みうる外側遮蔽部４４０を含む。延伸構成において、外側遮蔽部４４０は、被膜処理中に、首部領域３４、および、フランジ領域３６を、被膜材料から保護しうる。外側遮蔽部４４０を、遮蔽部引込め軸部４４２に接続しうる。以下に、より詳細に記載するように、遮蔽部引込め軸部４４２を用いて、外側遮蔽部４４０を、延伸構成および引込め構成に、配置しうる。図２４は、遮蔽部引込め軸部４４２、および、ガラス容器本体１２の周りに位置する外側遮蔽部４４０を、示している。
【００７９】
動作において、図２１は、ガラス本体支持アセンブリ４００を、閉鎖構成で示している。閉鎖構成において、ばね４４４は、コレット閉鎖部４０８の内側に向かい先細の領域４３０を、コレット本体４０２の外側に向かい先細の領域４２８の方へ付勢する。ブッシング４４５は、コレット閉鎖部のコレット本体４０２に対する移動を、容易にしうる。外側に向かい先細の領域４２８により、コレット本体４０２の幅が増加することで、結果的に、コレット本体４０２に対して加えられる半径方向内側に向かう力を生じ、それにより、クランプ指状部４３６を、ガラス容器本体１２のフランジ領域３６の方へ偏向させる。ばね４４４によって加えられた、ばね力を変化させることで、フランジ領域３６に対するクランプ力を高めたり、または、低下させたりしうる。外側遮蔽部４４０は、ばね４４６によって、延伸位置に付勢される。停止面４４８を、外側遮蔽部４４０が延伸しうる距離を制限するスピンドル軸部４０６よって提供しうる。プランジャアセンブリ４２５のプランジャ４２９も、ばね４３１によって、延伸位置の方へ付勢されて、封止部４３３が、ガラス容器本体１２のフランジ領域３６に対して封止されうる。そのような封止配置は、回転中に、ガラス容器本体１２を安定させるだけでなく、被膜材料が、ガラス容器本体１２の内部を通過するのを抑制しうる。
【００８０】
ガラス本体支持アセンブリ４００を、適切な作動システムを用いて、開放構成に配置しうる。図示した例において、ガラス本体支持アセンブリ４００を、空圧を用いて、開放構成に配置しうる。例えば、空圧通過部４５０は、加圧空気を気体室４２６に供給するための空圧入口４５２と連通し、それを用いて、コレット閉鎖部４０８を、スピンドル軸部４０６によって提供された内側着座面４５４の方へ、近位へと押しうるものであり、それは、コレット閉鎖部４０８によって、コレット本体４０２、および、そこに接続されたクランプ指状部４３６に対して加えられた力を、解放または減らしうる。開閉自在空気出口４５５が設けられ、それは、気体室４２６内の空圧を解放し、それにより、ばね４４４が、コレット閉鎖部４０８を、遠位へと移動させ、上記のように、コレット本体４０２に対し、半径方向の力を加えうる。
【００８１】
更に、外側遮蔽部を、空圧を用いて、引込めた位置に配置しうる。例えば、他の空気通路４５６が、加圧空気をスピンドル軸部４０６の停止面４４８と外側遮蔽部４４０に接続された遮蔽部引込め軸部４４２との間に備えられた他の気体室４５８に供給するための他の空圧入口４５２と、連通しうる。加圧空気を気体室４５８に提供することで、遮蔽部引込め軸部４４２および外側遮蔽部４４０を、矢印４６０の方向に、近位へと移動させて、外側遮蔽部４４０から遠位の肩部領域３２および首部領域３４を、露出させる。この配置は、被膜されていない領域、および、把持自在領域を、露出させて、被膜されたガラス容器１０を、ガラス本体支持アセンブリ４００から取り外しうる。気体室４５８からも、空圧が解放されて、それにより、ばね４６４が、遮蔽部引込め軸部４４２、および、外側遮蔽部４４０を、遠位へと移動して、上記のように、外側遮蔽部４４０が、少なくとも部分的に、ガラス容器本体１２のフランジ領域３６、首部領域３４、および、肩部領域３２を囲み、遮蔽しうる。
【００８２】
図２５を参照すると、コレット式のガラス本体支持アセンブリ５００の他の実施形態を示している。ガラス本体支持アセンブリ５００は、ガラス本体支持アセンブリ４００に関連して記載した特徴物の多くを含むが、この例では、コレット本体５０２が、上記の連続したＥＲ型コレット本体とは異なり、部分に分かれている。ガラス本体支持アセンブリ５００は、内側軸部５０４の周りに配置されたコレット本体５０２を含む。ここでも、内側軸部５０４は、ガラス本体支持アセンブリ５００に対して、中心軸を提供しうるもので、スピンドル回転装置に次に接続されるスピンドル軸部５０６に、接続される。コレット閉鎖部５０８は、内側軸部５０４の周りに延伸するスピンドル軸部５０６の穴５１０に、受け付けられうる。内側軸部５０４は、コレット閉鎖部５０８の壁部５１４の開口部５１２を通って延伸する近位部分を有し、それは、中心軸に対し横向きに延伸し、スピンドル軸部５０６と接続し、内側軸部５０４を通るガスパージ通路５１６を、スピンドル軸部５０６を通るガスパージ通路５１８と位置合わせする。内側軸部５０４の封止部分５２０は、コレット閉鎖部５０８の内壁部５２２と係合して、例えば、封止部５２４を用いて、その間の封止を行い、開放および閉鎖構成にガラス本体支持アセンブリ５００を配置するのに使用しうる加圧気体室５２６を、提供しうる。
【００８３】
プランジャアセンブリ５２５を、内側軸部５０４の遠位端部５２７に接続しうる。プランジャアセンブリ５２５は、ばね５３１によって、ガラス容器本体１２のフランジ領域３６の方へ付勢されたプランジャ５２９を含みうる。プランジャ５２９は、そこを通って延伸し、内側軸部５０４を通るガスパージ通路５１６に接続するガスパージ通路５３５を含む。封止部５３３（例えば、Ｏリング）を備えて、プランジャを、ガラス容器本体１２のフランジ領域３６に対して封止するのを可能にしながら、パージを行うために、気体をガラス容器本体１２に送りうる。
【００８４】
コレット本体５０２は、外径が増加し、それにより、外側に向かい先細の領域５２８を提供する。コレット閉鎖部５０８は、閉鎖力をコレット本体５０２の外側に向かい先細の領域５２８に対して加えるのに用いる、内側に向かい先細の領域５３０を、含む。コレット本体５０２は、内側に偏向自在の端部５３２を含み、それは、コレット閉鎖部５０８によって加えられた力に応じて、コレット本体５０２を、半径方向内側へ移動させる。コレットナット４３４を用いて軸方向に規制されるコレット本体４０２と異なり、コレット本体５０２は、図示した実施形態では内側軸部５０４によって提供されるコレット枢動構造物５３４に、係合する。図面から分かるように、コレット枢動構造物５３４は、鉤状のようで、コレット本体５０２によって提供されて協働する鉤状のコレット枢動構造物５３６と係合する。協働するコレット枢動構造物５３４、５３６は、コレット閉鎖部５０８が、閉鎖力を、コレット本体５０２の外側に向かい先細の領域５２８に対して加える時に、コレット本体５０２の軸方向の移動を抑制する。
【００８５】
コレット本体５０２を分離して示す図２６および２７も参照すると、コレット本体５０２は、部分に分かれたタイプのコレット本体であり、それは、多数の要素からなるコレット本体を形成する別々のコレット区分５３８、５４０、５４２、５４４によって形成されうる。一例として、プリフォームコレット本体を、管として形成し、次に、ＥＤＭ、または、他の適切な処理など、任意の適切な処理を用いて、２つの垂直平面に沿って、コレット区分５３８、５４０、５４２、５４４に分けうる。支持溝部５４６を、各コレット区分５３８、５４０、５４２、５４４の周縁部に沿って備えうる。支持溝部５４６を位置合わせして、ガーターばね５４８などの連続付勢部材を受け付けうる。ガーターばね５４８を、コレット区分５３８、５４０、５４２、５４４の近位端部５５０に配置して、それらを、一緒に結合させるようにして、コレット本体５０２を、開放構成へと付勢しうる。
【００８６】
上記の場合と同様に、コレット本体５０２は、金属で形成され、それは、ガラス容器本体１２に接触するのに適さないことがありうる。このため、コレット本体５０２に、例えば、ねじ山付き孔（図２６）および固定具５５４を用いて、コレット本体５０２に接続しうるクランプ指状部５５２（図２７）を、備えうる。
【００８７】
再び、図２５を参照すると、ガラス本体支持アセンブリ５００は、ガラス容器本体１２を囲みうる外側遮蔽部５５６を含む。延伸構成において、外側遮蔽部５５６は、被膜処理中に、首部領域３４、および、フランジ領域３６を、被膜材料から保護しうる。外側遮蔽部５５６を、遮蔽部引込め軸部５５８に接続しうる。遮蔽部引込め軸部５５８を用いて、外側遮蔽部５５６を、延伸構成および引込め構成に、配置しうる。
【００８８】
動作において、図２５に、ガラス本体支持アセンブリ５００を、閉鎖構成で示している。閉鎖構成において、ばね５６０は、コレット閉鎖部５０８の内側に向かい先細の領域５３０を、コレット本体５０２の外側に向かい先細の領域５２８の方へ付勢する。ブッシング５４５は、コレット閉鎖部５０８のコレット本体５０２に対する移動を、容易にしうる。外側に向かい先細の領域５２８により、コレット本体５０２の幅が増加することで、結果的に、コレット本体５０２に対して加えられる半径方向内側に向かう力を生じ、それにより、クランプ指状部５５２を、ガラス容器本体１２のフランジ領域３６の方へ偏向させる。ばね５６０によって加えられた、ばね力を変化させることで、フランジ領域３６に対するクランプ力を高めたり、または、低下させたりしうる。外側遮蔽部５５６は、ばね５６２によって、延伸位置に付勢される。停止面５６４を、外側遮蔽部５５６が延伸しうる距離を制限するスピンドル軸部５０６よって、提供しうる。プランジャアセンブリ５２５のプランジャ５２９も、ばね５３１によって、延伸位置の方へ付勢されて、封止部５３３が、ガラス容器本体１２のフランジ領域３６に対して封止されうる。そのような封止配置は、回転中に、ガラス容器本体１２を安定させるだけでなく、被膜材料が、ガラス容器本体１２の内部を通過するのを抑制しうる。
【００８９】
ガラス本体支持アセンブリ５００を、適切な作動システムを用いて、開放構成に配置しうる。図示した例において、ガラス本体支持アセンブリ５００を、空圧を用いて、開放構成に配置しうる。例えば、空圧通過部５６６は、加圧空気を気体室５２６に供給するための空圧入口５６８と連通し、それを用いて、コレット閉鎖部５０８を、スピンドル軸部５０６によって提供された内側着座面５６９の方へ、近位へと押しうるものであり、それは、コレット閉鎖部５０８によって、コレット本体５０２、および、そこに接続されたクランプ指状部５５２に対して加えられた力を、解放または減らしうる。開閉自在空気出口５７０が設けられ、それは、気体室５２６内の空圧を解放し、それにより、ばね５６２が、コレット閉鎖部５０８を、遠位へと移動させ、上記のように、コレット本体５０２に対し、半径方向の力を加えうる。
【００９０】
更に、外側遮蔽部５５６を、空圧を用いて、引込めた位置に配置しうる。例えば、他の空気通路５７２が、加圧空気をスピンドル軸部５０６の停止面５６４と外側遮蔽部４４０に接続された遮蔽部引込め軸部５５８との間に備えられた他の気体室５７６に供給するための他の空圧入口５７４と、連通しうる。加圧空気を気体室５７６に提供することで、遮蔽部引込め軸部５５８および外側遮蔽部５５６を、矢印５７８の方向に、近位へと移動させて、外側遮蔽部５５６から遠位の肩部領域３２および首部領域３４を露出させる。この配置は、被膜されていない領域、および、把持自在領域を、露出させて、被膜されたガラス容器１０を、ガラス本体支持アセンブリ５００から取り外しうる。空圧も、気体室５７６から解放して、それにより、ばね５６２が、遮蔽部引込め軸部５５８、および、外側遮蔽部５５６を、遠位へと移動して、上記のように、外側遮蔽部５５６が、少なくとも部分的に、ガラス容器本体１２のフランジ領域３６、首部領域３４、および、肩部領域３２を囲み、遮蔽しうる。
【００９１】
図１８〜２７のガラス本体支持アセンブリは、ガラス本体の回転速度が、（例えば、３５００ｒｐｍ（３５００ｍｉｎ−１）までか、それより速いなど）比較的速い場合に、適したものでありうる。ガラス本体支持アセンブリのスピンドル接続部と、スピンドル回転装置のスピンドル部との間で（図１０および１０Ａ）、ロバストな接続を行うために、磁石を使用しうる。図２８を参照すると、例えば、スピンドル部６００の実施形態は、基部６０２、および、基部６０２から外側に延伸する円錐状の先端部６０４を含む。先端部６０４は、スピンドル接続部のスピンドル受付け穴に受け付けられるような大きさ、および、形状を有する。上記のように、スピンドル受付け穴は、対応する円錐形状を有し、スピンドル接続部が、先端部の上に置かれた場合に、そこで奥に達しうる。
【００９２】
図２９を参照すると、先端部６０４は、先端部６０４の端部６０８全体の周りに備えられたリング状の開口部６０６を含む。リング形状は、先端部６０４の回転軸に沿って延伸するガスパージ通路６０５を、考慮したものである。いくつかの実施形態において、開口部６０６は、開口端を有し、磁石６１０を受け付けるような大きさを有する。いくつかの実施形態において、磁石６１０は、永久磁石でありうる。しかしながら、電磁石などの他のタイプの磁石も、企図している。適切なリング状磁石６１０は、１／４”（約０．６ｃｍ）の外径、１／８”（約０．３ｃｍ）の内径、および、１／４”（約０．６ｃｍ）の長さで、ニッケル‐銅‐ニッケルの被膜を含むネオジウム‐鉄‐ホウ素Ｎ４２リング状磁石でありうる。Ｌｏｃｋｔｉｔｅ（登録商標）などの接着剤を用いて、磁石６１０を、開口部に固定しうる。他の磁石を、少なくとも部分的には、保持力、被膜速度までの加速、および、取出し易さに応じて、磁力強度を選択して、用いうる。比較的強力な磁力は、ガラス本体支持アセンブリの多数のスピンドル接続部を、スピンドル部から取り外すのを難しくしうる。このため、間隙２７９（図１０Ａ）を、先端部６０４とスピンドル接続部の間に設けて、加えられる磁力を、更に調節しうる。
【００９３】
磁石を先端部に配置しうるが、図３０および３１は、磁石が基部６１４、６３４に位置するスピンドル部６１２、６３２の他の実施形態を示している。図３０において、スピンドル部６１２は、先端部６１８の周りに位置する多数の磁石受付け窪み部６１６を有する基部６１４を含み、それらは、ガラス本体支持アセンブリのスピンドル接続部を引き付けて、スピンドル接続部の先端部６１８の上方への移動を抑制するように選択される。図３０の例において、４つの磁石を使用しうる。しかしながら、６つの磁石窪み部６３６を、先端部６３８の周りに位置して示した図３１のものなど、他の数の磁石を使用してもよい。
【００９４】
ガラス本体支持アセンブリのスピンドル接続部を引き付けるのに磁石を用いる実施形態において、スピンドル接続部を、磁性を有する４００系ステンレス鋼などの適切な磁性材料で形成しうる。しかしながら、図３２に示したものなど、他の実施形態は、同じ極性を有する磁石を用いて、反発力を利用して、スピンドル接続部の先端部の上方への移動を抑制するようにうる。図３２において、被膜キャリア６４０は、支持本体６４４およびコネクタ板６４６を有する被膜基部６４２を含む。スピンドルコネクタ６４８が、スピンドルコネクタ受付け特徴物６５２の空洞部６５０に、図７に示したものと同様に位置する。しかしながら、本実施形態では、互いに反発するように同じ極性を有する一対の磁石６５４、６５６を、スピンドルコネクタ受付け特徴物６５２に配置している。磁力を用いて、スピンドル回転装置の先端部上で、スピンドルコネクタ６４８の位置を維持しうる。更に、スピンドルコネクタ６４８を、３００系ステンレス鋼などの非磁性材料から形成しうる。
【００９５】
上記システムおよび方法を用いて、比較的多数のガラス本体を、取扱って、被膜し、目標とする被膜位置を確実に実現しうる。例えば、被膜キャリアを用いて、ガラス本体、および、被膜されたガラス容器を、ステーション間で移動できることで、被膜処理工程に亘って、ガラス本体、および、被膜されたガラス容器の破損を最小にしうる。被膜キャリアを、スピンドルコネクタと共に使用することで、１５０℃まで、および、それを超える温度、並びに、いくつかの実施形態では、３００℃まで、および、それを超える熱処理を可能にしうる。上記システムおよび方法は、異なる形式のガラス本体で使用できるように、非常に柔軟でありうる。被膜キャリアが移動可能なことで、多数の被膜および加熱工程を、ガラス本体支持アセンブリからガラス本体を取り出す必要なく、行いうる。
【００９６】
ここで、本明細書に記載の低摩擦被膜を有するガラス容器は、低摩擦被膜を形成した結果、より高い耐機械的破損性を示し、したがって、ガラス容器は、優れた機械的耐久性を有すると理解すべきである。この特性は、ガラス容器を、限定するものではないが、薬剤容器材料を含む、様々な利用に、よく適合したものにする。
【００９７】
当業者には、本明細書に記載の実施形態に、請求した主題の精神および範囲を逸脱することなく、様々な変更および変形が可能であることが、明らかだろう。したがって、本明細書は、本明細書に記載の様々な実施形態の変更および変形も、添付の請求項、および、その等価物の範囲である限りは包含することを意図する。
【００９８】
以下、本発明の好ましい実施形態を項分け記載する。
【００９９】
実施形態１  
ガラス被膜装置と用いる被膜キャリアにおいて、
複数のスピンドルコネクタ受付け特徴物を有する被膜基部を、
含み、
各前記スピンドルコネクタ受付け特徴物は、ガラス容器本体を支持するように構成されたガラス本体支持アセンブリのスピンドルコネクタを移動自在に受け付ける大きさを有する空洞部を含むものである被膜キャリア。
【０１００】
実施形態２  
前記被膜基部は、前記複数のスピンドルコネクタ受付け特徴物の前記空洞部が中に形成された支持本体を含むものである、実施形態１に記載の被膜キャリア。
【０１０１】
実施形態３  
前記空洞部は、一列に位置合わせされたものである、実施形態２に記載の被膜キャリア。
【０１０２】
実施形態４  
前記空洞部は、略等間隔で、互いに離間したものである、実施形態３に記載の被膜キャリア。
【０１０３】
実施形態５  
前記空洞部は、幅が先細で、円錐台形状を形成するものである、実施形態１に記載の被膜キャリア。
【０１０４】
実施形態６  
前記被膜基部は、該被膜基部のガラス本体支持側で接続されたコネクタ板を含むものである、実施形態１に記載の被膜キャリア。
【０１０５】
実施形態７  
前記コネクタ板は、その中を通る複数の開口部を有し、前記開口部は、各々、前記複数のスピンドルコネクタ受付け特徴物の空洞部の上に掛かったものである、実施形態６に記載の被膜キャリア。
【０１０６】
実施形態８  
前記開口部は、各々、前記被膜基部の前記ガラス本体支持側での前記空洞部より、幅が狭く、それにより、前記各スピンドルコネクタ受付け特徴物において、各々、該空洞部の上に張り出した棚状部を形成するものである、実施形態７に記載の被膜キャリア。
【０１０７】
実施形態９  
前記支持本体は、前記被膜基部のスピンドルコネクタ側で、複数の開口部を有し、該被膜基部のスピンドルコネクタ側の前記開口部は、各々、前記複数のスピンドルコネクタ受付け特徴物の前記空洞部の上に掛かったものである、実施形態７に記載の被膜キャリア。
【０１０８】
実施形態１０  
前記スピンドルコネクタ側での前記開口部は、各々、前記被膜基部の前記スピンドルコネクタ側での前記空洞部より、幅が狭く、それにより、各前記スピンドルコネクタ受付け特徴物において、各々、該空洞部の上に張り出した棚状部を形成するものである、実施形態９に記載の被膜キャリア。
【０１０９】
実施形態１１  
前記空洞部の少なくとも１つに位置するスピンドルコネクタを、
更に含む、実施形態１に記載の被膜キャリア。
【０１１０】
実施形態１２  
前記空洞部は、開口した側面を有して、前記スピンドルコネクタが、該空洞部から、横に摺動するのを可能にするものである、実施形態１に記載の被膜キャリア。
【０１１１】
実施形態１３  
ガラス容器本体を直立に支持するガラス本体支持アセンブリにおいて、
コレット本体と、
前記ガラス容器本体の細くなった部分へ留めるように構成されたクランプ指状部と、
を含み、
前記コレット本体は、その中を通って延伸するガスパージ通路を有し、加圧気体を、前記ガラス容器本体の内部に送るものであるガラス本体支持アセンブリ。
【０１１２】
実施形態１４  
前記コレット本体は、外側に向かい先細の面を有するものであり、
前記ガラス本体支持アセンブリは、
前記コレット本体の前記外側に向かい先細の面と係合する内側に向かい先細の面を有して、半径方向の力を、該コレット本体を通して、前記クランプ指状部に対して加えるコレット閉鎖部を、
更に含む、実施形態１３に記載のガラス本体支持アセンブリ。
【０１１３】
実施形態１５  
前記コレット閉鎖部は、延伸位置に向かって、ばねで付勢されて、前記半径方向の力を、該コレット本体を通して、前記クランプ指状部に対して加えるものである、実施形態１４に記載のガラス本体支持アセンブリ。
【０１１４】
実施形態１６  
前記ガスパージ通路に位置するプランジャを、
更に含む、実施形態１３に記載のガラス本体支持アセンブリ。
【０１１５】
実施形態１７  
前記プランジャは、前記ガラス容器本体に向かって、ばねで付勢されたものである、実施形態１６に記載のガラス本体支持アセンブリ。
【０１１６】
実施形態１８  
前記プランジャは、その中を通って延伸するガスパージ通路を含み、該プランジャの前記ガスパージ通路は、前記コレット本体の前記ガスパージ通路と連通したものである、実施形態１７に記載のガラス本体支持アセンブリ。
【０１１７】
実施形態１９  
前記クランプ指状部は、前記コレット本体の一部として形成されたものである、実施形態１３に記載のガラス本体支持アセンブリ。
【０１１８】
実施形態２０  
前記クランプ指状部は、別に形成されて、前記コレット本体に接続されたものである、実施形態１３に記載のガラス本体支持アセンブリ。
【０１１９】
実施形態２１  
前記クランプ指状部は、前記コレット本体を形成した材料とは異なる材料で形成されたものである、実施形態２０に記載のガラス本体支持アセンブリ。
【０１２０】
実施形態２２  
スピンドル回転装置のスピンドル部において、
基部と、
前記基部から外側に延伸して、ガラス本体支持アセンブリのスピンドル接続部に接続するように構成された先端部と、
前記基部と前記先端部の少なくとも一方に位置し、磁力を加えて、前記スピンドル接続部が前記先端部と係合した時に、該スピンドル接続部の軸方向の移動を阻止するように配置された磁石と、
を含むスピンドル部。
【０１２１】
実施形態２３  
前記磁石は、前記先端部の開口部に位置するものである、実施形態２２に記載のスピンドル部。
【０１２２】
実施形態２４  
前記開口部は、リング状で、前記先端部の周りに設けられ、前記磁石は、リング状で、該開口部によって受け付けられるものである、実施形態２３に記載のスピンドル部。
【０１２３】
実施形態２５  
前記磁石は、接着剤によって、前記開口部に保持されるものである、実施形態２３に記載のスピンドル部。
【０１２４】
実施形態２６  
前記磁石は、前記基部に位置するものである、実施形態２２に記載のスピンドル部。
【符号の説明】
【０１２５】
１０  ガラス容器
１２  ガラス容器本体
１４  低摩擦被膜
１６  ガラス容器壁部
３２  肩部領域
３４  首部領域
３６  フランジ領域
４０  開口端部
４４  外側接触面
４６  内側ガラス界面
５０  ポリマー層
５２  カップリング剤層
５４  界面層
２１４、３２２、６４０  被膜キャリア
２１６  被膜基部
２１８、２２０  支持アーム
２２５、２２７  指状部
２２６  スピンドルコネクタ受付け特徴物
２２８  支持本体
２３０  コネクタ板
２３４  空洞部
２４０  スピンドルコネクタ
２４２  スピンドル接続部
２４５、３５０、４００、５００  ガラス本体支持アセンブリ
２５４  ガラス容器接続部
２５６  接続基部
２６０  接続ヘッド
２６２  係合リブ
２６８、２７５、２７７  ガスパージ通路
２７２  スピンドル回転装置
２７４、６００、６１２、６３２  スピンドル部
２８４  ロード台
２８６  搬送部受付け固定部
２８８  ラック
２９０  移動自在載置アセンブリ
３００  ガラスアンロード装置
３０２  アンロード台
３０４  把持ヘッドアセンブリ
４０２、５０２  コレット本体
【図１】
2019516654.tif 000003
【図２】
2019516654.tif 000004
【図３】
2019516654.tif 000005
【図４】
2019516654.tif 000006
【図５】
2019516654.tif 000007
【図６】
2019516654.tif 000008
【図７】
2019516654.tif 000009
【図８】
2019516654.tif 000010
【図９】
2019516654.tif 000011
【図１０】
2019516654.tif 000012
【図１０Ａ】
2019516654.tif 000013
【図１１】
2019516654.tif 000014
【図１２】
2019516654.tif 000015
【図１３】
2019516654.tif 000016
【図１４】
2019516654.tif 000017
【図１５】
2019516654.tif 000018
【図１６】
2019516654.tif 000019
【図１７】
2019516654.tif 000020
【図１８】
2019516654.tif 000021
【図１９】
2019516654.tif 000022
【図２０】
2019516654.tif 000023
【図２１】
2019516654.tif 000024
【図２２】
2019516654.tif 000025
【図２３】
2019516654.tif 000026
【図２４】
2019516654.tif 000027
【図２５】
2019516654.tif 000028
【図２６】
2019516654.tif 000029
【図２７】
2019516654.tif 000030
【図２８】
2019516654.tif 000031
【図２９】
2019516654.tif 000032
【図３０】
2019516654.tif 000033
【図３１】
2019516654.tif 000034
【図３２】
2019516654.tif 000035
【国際調査報告】
2019516654.tif 000036
2019516654.tif 000037
2019516654.tif 000038
2019516654.tif 000039
2019516654.tif 000040
2019516654.tif 000041